(57)【要約】【課題】被設置物Ｍのがたつきを防止する。【解決手段】ボルト軸２は台座３に対して回転自在に挿通されている。これにより、台座３を接地したままボルト軸２を回転させ、被設置物Ｍの雌ねじ部Ｓに対するねじ込み量Ｘを調整し、被設置物Ｍの高さ調整が行われる。台座３の周面には、複数の貫通孔３２…が設けられている。高さ調整完了後、この貫通孔３２…から台座３内に固定用接着剤７を浸入させて台座３内にボルト軸２の抜け止めナット５を固定する。これにより、被設置物のがたつきが防止され、同時に台座３が床面Ｆに固定される。【選択図】　　図１
2004036724.tif 000002
【特許請求の範囲】
【請求項１】
雄ねじが切られたボルト軸と、
頂部に前記ボルト軸が回転自在に挿通されるボルト挿通孔が設けられたドーム形状の台座と、
前記ボルト挿通孔の上側で前記ボルト軸と一体に回転するように前記ボルト軸に設けられた前記ボルト挿通孔より大径の座り部と、
前記ボルト挿通孔の下側に突出した前記ボルト軸の下端部に設けられた前記ボルト挿通孔より大径の抜け止め部と、を備え、
前記台座の周面には、固定用接着剤を浸入させる貫通孔が設けられたことを特徴とする高さ調整用脚金具。
【請求項２】
前記貫通孔は、前記抜け止め部の下端の高さ位置を含む高さ位置、またはそれよりも上方に設けられたことを特徴とする請求項１に記載の高さ調整用脚金具。
【請求項３】
前記台座には前記貫通孔が複数設けられていることを特徴とする請求項１または２に記載の高さ調整用脚金具。
【請求項４】
被設置物の下部に形成された雌ねじ部に請求項１〜３のいずれかに記載の高さ調整用脚金具の前記ボルト軸をねじ込んで装着するステップと、
前記被設置物を所定の設置位置に載置して、前記高さ調整用脚金具の座り部を適宜回転操作することにより前記被設置物の高さ調整を行うステップと、
前記台座に設けられた前記貫通孔から固定用接着剤を浸入させるステップと、を含む高さ調整用金具を用いた被設置物の設置方法。
【請求項５】
前記固定用接着剤は、前記貫通孔に挿入した注入ノズルから前記台座内に直接注入することを特徴とする請求項４に記載の高さ調整用脚金具を用いた被設置物の設置方法。
【請求項６】
前記固定用接着剤を浸入させるステップよりも前に、前記高さ調整用脚金具の台座を囲む床面に、その外側に前記固定用接着剤が流出することを防止する堰体を載置するステップを含むことを特徴とする請求項４に記載の高さ調整用脚金具を用いた被設置物の設置方法。
【発明の詳細な説明】
【０００１】
【発明が属する技術分野】
この発明は、自動販売機、ユニットバス、その他種々の被設置物を所定の床面等に高さ調整を行いながら設置するために用いられる高さ調整用脚金具、およびそれを用いた被設置物の設置方法に関する。
【０００２】
【従来の技術】
従来、自動販売機等の被設置物を設置するにあたり、その水平や高さ位置を調整することができる高さ調整用脚金具が知られている。
【０００３】
図６は、従来の高さ調整用脚金具の一例である。この高さ調整用脚金具９１は、雄ねじが切られたボルト軸９２と、床面等に接地されるドーム状の台座９３とを備えている。ボルト軸９２は、その下部が台座９３の頂部に設けられたボルト挿通孔９３１に回転自在に挿通され、台座９３の上側および下側（内側）にはそれぞれ座り部９４および抜け止め部９５が一体的に取り付けられている。
【０００４】
このような脚金具９１では、ボルト軸９２の被設置物Ｍに設けられた雌ねじ部Ｓに対するねじ込み量によって被設置物Ｍを上げ下げし、高さ調整や水平調整を行う。この際、ボルト軸９２は台座９３のボルト挿通孔９３１に回転自在に挿通されているため、接地した台座９３を回転させることなくボルト軸９２を回転させてねじ込み量を調整することができ、これにより、被設置物Ｍを持ち上げることなくその高さ調整をできるようになっている。
【０００５】
【発明が解決しようとする課題】
しかしながら、従来の高さ調整用脚金具９１では、ボルト軸９２を台座９３のボルト挿通孔９３１に回転自在に挿通するため、両者の間に所定の隙間（遊び）を必要とし、設置後にはこれに起因するがたつきを生じやすいという問題があった。
【０００６】
本発明は、上記のような問題に鑑みてなされたものであり、設置後のがたつきを防止でき、かつ施工が容易な高さ調整用脚金具、およびそれを用いた被設置物の設置方法を提供することを目的とする。
【０００７】
【課題解決のための手段】
上記目的を達成するため、この発明にかかる高さ調整用脚金具は、雄ねじが切られたボルト軸と、頂部に前記ボルト軸が回転自在に挿通されるボルト挿通孔が設けられたドーム形状の台座と、前記ボルト挿通孔の上側で前記ボルト軸と一体に回転するように前記ボルト軸に設けられた前記ボルト挿通孔より大径の座り部と、前記ボルト挿通孔の下側に突出した前記ボルト軸の下端部に設けられた前記ボルト挿通孔より大径の抜け止め部と、を備え、前記台座の周面には、固定用接着剤を浸入させる貫通孔が設けられたことを特徴とするものである。
【０００８】
このような高さ調整用脚金具は、そのボルト軸が被設置物の下部等に形成された雌ねじ部にねじ込まれることで被設置物に装着され、このねじ込み量を調整することで被設置物の高さ調整が行われる。この際、ボルト軸は台座に対して回転自在に挿通されているため、台座を接地したままボルト軸を回転させて被設置物の高さ調整を行うことができる。また、ボルト軸と一体回転する座り部が台座の上側に設けられているため、この座り部を回転操作することで容易に高さ調整を行うことができる。
【０００９】
また、台座の周面には貫通孔が設けられているため、被設置物を所定の設置位置に設置し、その高さ調整を完了した状態で、台座内部に固定用接着剤を浸入させることができる。これにより台座内で抜け止め具を固定し、ひいては台座とボルト軸を台座に対して固定して、被設置物にがたつきが生じることを防止することができる。
【００１０】
また、台座内に固定用接着剤を流入させることにより、台座と設置面とを接着固定して、この点からも被設置物のがたつきを防止することができる。
【００１１】
なお、台座内に固定用接着剤を流入させる作業は、貫通孔に注入ノズルを挿入して台座内に固定用接着剤を直接注入しても、台座の外周面に固定用接着剤を垂らして貫通孔から台座内に浸入させても、あるいは、台座の近傍の床面上に固定用接着剤を垂らして貫通孔の高さ位置まで接着剤を盛り上げてやることで、接着剤が貫通孔から台座内に浸入するようにしてもよく、これらの作業態様は、作業環境や使用する固定用接着剤の粘度等に応じて適宜選択すればよい。
【００１２】
また、前記貫通孔は、前記抜け止め部の下端の高さ位置を含む高さ位置、またはそれよりも上方に設けられることが望ましい。
【００１３】
このようにすると、貫通孔から台座内に浸入する固定用接着剤は、貫通孔と同じ高さまたはそれより下方に位置する抜け止め部に接触しやすくなる。また、台座内の空気が貫通孔から抜けやすくなるので台座内に固定用接着剤が充填されやすくなる。このため、抜け止め部をより確実に台座内に固定することができる。
【００１４】
また、前記台座には前記貫通孔が複数設けられていることが望ましい。
【００１５】
このようにすると、複数の貫通孔から確実に接着剤を台座内に浸入させることができる。
【００１６】
特に、貫通孔に注入ノズルを挿入して固定用接着剤を直接注入する場合には、脚金具を設置する際の台座の向きによらず、複数の貫通孔のうち作業者に近い貫通孔から固定用接着剤を注入することができるため、作業が容易になる。
【００１７】
また、本発明は、このような高さ調整用金具を用いた被設置物の設置方法であって、被設置物の下部に形成された雌ねじ部に前記高さ調整用脚金具の前記ボルト軸をねじ込んで装着するステップと、前記被設置物を所定の設置位置に載置して、前記高さ調整用脚金具の座り部を適宜回転操作することにより前記被設置物の高さ調整を行うステップと、前記台座に設けられた前記貫通孔から固定用接着剤を浸入させるステップと、を含むものである。
【００１８】
このような被設置物の設置方法によると、台座内で抜け止め具を固定し、ひいては台座とボルト軸を台座に対して固定して、被設置物にがたつきが生じることを防止することができる。また、台座内に固定用接着剤を流入させることにより、台座と設置面とを接着固定して、この点からも被設置物のがたつきを防止することができる。
【００１９】
また、このような被設置物の設置方法においては、前記固定用接着剤は、前記貫通孔に挿入した注入ノズルから前記台座内に直接注入することが望ましい。
【００２０】
このようにすると、台座の内部に確実に固定用接着剤を浸入させて、抜け止め部を台座内に確実に固定し、がたつきの発生を未然に防止することができる。
【００２１】
また、前記固定用接着剤を浸入させるステップよりも前に、前記高さ調整用脚金具の台座を囲む床面に、その外側に前記固定用接着剤が流出することを防止する堰体を載置するステップを含むことが望ましい。
【００２２】
このようにすると、台座の外側近傍に固定用接着剤を注ぎ込めば堰体によって周囲への流出が防止されるため、台座近傍で容易に固定用接着剤を盛り上げて貫通孔の高さまで到達させ、台座の内側に接着剤を流入させることができる。この際、固定用接着剤は堰体の内側にさえ注入できればよいから、設置作業が容易である。
【００２３】
【発明の実施の形態】
以下、この発明にかかる高さ調整用脚金具を図面に示した一実施形態に基づいて説明する。
【００２４】
本発明にかかる高さ調整用脚金具は、たとえば自動販売機や各種機械装置、ショーケース、その他ユニットバス等、種々の被設置物を床面や基礎上に設置する際に用いられる脚金具であって、高さ調整を行うことができるものである。
【００２５】
図１は、本実施形態の高さ調整用脚金具１の正面断面図、図２は、同斜視図である。
【００２６】
この図に示すように、本実施形態の高さ調整用脚金具１は、ボルト軸２と、ドーム状の台座３と、台座３の上側でボルト軸２に一体的に設けられた座り部４と、台座３の下側（内側）でボルト軸２の下端部に設けられた抜け止めナット５と、ボルト軸２の上部に螺合されたロックナット６とを主要構成部材としてなる。
【００２７】
ボルト軸２は、ほぼ全長にわたって雄ねじが形成された金属製の軸体からなる。このボルト軸２は、その上部の雄ねじ部が被設置物Ｍの雌ねじ部Ｓにねじ込まれて被設置物Ｍに装着される。また、このねじ込み量Ｘを調整することによって、被設置物Ｍの設置高さが調整される。なお、このボルト軸２の下端部には、後述するように雄ねじが切られていない。
【００２８】
台座３は、床面等に接地する脚部として機能するものである。この台座３は、円形金属板のプレス加工により、中央部が上方に膨らんだドーム状に構成されている。その周縁部３３はほぼ水平な平面状に形成され、ここで床面Ｆに接地している。この台座３の中央に位置するドーム頂部には、ボルト軸２が挿通されるボルト挿通孔３１が上下に貫通して設けられている。また、この台座３のドーム周面には、複数の（ここでは４つの）貫通孔３２…が略等間隔で、互いに対称位置に設けられている。この貫通孔３２…は、台座３内に位置する抜け止めナット５の下端高さ位置を含む高さ位置に設けられている。
【００２９】
座り部４は、台座３の上側でボルト軸２に回り止め状態で装着された六角ナット形状の部材である。この座り部４はボルト挿通孔３１よりも大径に形成されることで、台座３の上面で摺動回転可能に座っている。なお、ボルト軸２の座り部４の下側には雄ねじが切られておらず、ボルト軸２がボルト挿通孔３１内で回転しやすいようになっている。
【００３０】
抜け止めナット５は、台座３の下側（内側）に突出したボルト軸２の下端部に装着された六角ナット形状の部材であり、ボルト軸２を持ち上げたときに台座３が抜け落ちることを防止する抜け止め部として機能する。このため、この抜け止めナット５は、ボルト挿通孔３１よりも大径に構成されている。この抜け止めナット５は、ボルト軸２のねじが切られていない下端部に、この下端部の外径より小さい内命の雌ねじを有するナットを、その雌ねじの山を圧潰しながら圧入して回転不能に嵌着されたものである。この抜け止めナット５およびボルト軸２の下端部は台座３の下端より上方で設置面から浮き上がった位置に位置している。
【００３１】
ロックナット６は、ボルト軸２の上部に螺合され、被設置物Ｍの雌ねじ部Ｓに向かって緊締することにより被設置物Ｍの取り付け位置を固定するものである。
【００３２】
つぎに、このような高さ調整用脚金具１を用いた被設置物Ｍの設置方法について説明する。
【００３３】
この設置方法では、まず、ボルト軸２の上部を被設置物Ｍの雌ねじ部Ｓにねじ込んで被設置物Ｍに装着する。通常は１つの被設置物Ｍを複数の高さ調整用金具１…で支持するため、複数の高さ調整用金具１…を取り付ける。
【００３４】
つづいて、被設置物が所定の設置位置に載置するべく、各高さ調整用金具１の台座３を床面Ｆ上に接地させる。そして、この状態で、各高さ調整用脚金具１の座り部４を適宜スパナ等の工具で回転操作することにより、被設置物Ｍの雌ねじ部Ｓに対するボルト軸２のねじ込み量Ｘを調整し、被設置物Ｍの設置高さ調整および水平調整を行う。さらに、ロックナット６を被設置物Ｍの雌ねじ部Ｓに向けて緊締し、被設置物Ｍの取り付け位置を固定して被設置物Ｍの設置高さ調整および水平調整を完了する。なお、このとき、ボルト軸２を台座３のボルト挿通孔３１内で回転自在とするため、両者の間には隙間（遊び）が形成されており、被設置物Ｍにはこの隙間に起因するがたつきが生じうる状態である。
【００３５】
こうして被設置物Ｍの高さ調整等が完了すれば、台座３の周面に複数設けられている貫通孔３２…のいずれかに注入ノズル８を挿入し、ここから台座３内に固定用接着剤７を注入して、台座３の内部に充填し、被設置物Ｍの設置が完了する。
【００３６】
このような高さ調整用脚金具１およびそれを用いた被設置物Ｍの設置方法によれば、固定用接着剤７が充填された台座３内では、抜け止めナット５が固定用接着剤７によって固定され、ひいてはこの抜け止めナット５が装着されたボルト軸２が台座３に対して固定された状態となるため、設置後の被設置物Ｍにがたつきが生じることを未然に防止することができる。
【００３７】
また、台座３内に注入された固定用接着剤７は台座３と床面Ｆとも接着固定するため、台座３と床面Ｆとの間での被設置物Ｍのがたつきも防止することができる。
【００３８】
また、台座３を床面Ｆに固定するための別途の金具等を必要とせず、そのねじ止め等も不要であるため、施工が容易である。
【００３９】
また、貫通孔３２に挿入した注入ノズル８から台座３内に固定用接着剤７を直接注入したため、台座３の内部に確実に固定用接着剤７を浸入させて、抜け止めナット５を台座３内に確実に固定することができる。
【００４０】
また、被設置物Ｍの接地高さ調整等を行うに際し、ボルト軸２は台座３に対して回転自在に挿通されているため、被設置物Ｍを持ち上げることなく、台座３を接地したままボルト軸２を回転させて被設置物Ｍの高さ調整を容易に行うことができる。
【００４１】
また、ボルト軸２と一体回転する座り部４が台座３の上側に設けられているため、この座り部４を回転操作することで被設置物Ｍの高さ調整を容易に行うことができる。
【００４２】
また、貫通孔３２が、抜け止めナット５の下端の高さ位置を含む高さ位置に設けられているため、貫通孔３２から台座３内に固定用接着剤７を注入した際、接着剤７の多くが抜け止めナット５に接触することとなり、これにより、抜け止めナット５をより確実に台座３内に固定することができる。
【００４３】
また、貫通孔３２が、抜け止めナット５の下端の高さ位置を含む高さ位置に設けられているため、貫通孔３２から台座３内に固定用接着剤７を注入していった際、台座３内の空気が貫通孔３２から抜け、台座３内に固定用接着剤７を充填しやすい。この点からも抜け止めナット５を確実に台座３内に固定することができる。
【００４４】
また、複数の貫通孔３２が台座３のドーム周面の各方向に設けられているため、脚金具１を設置する際の台座３の向きによらず、複数の貫通孔３２…のうち作業者に近い貫通孔３２から固定用接着剤７を注入することができるため、設置作業を容易に行うことができる。
【００４５】
つぎに、上記高さ調整用脚金具１を用いた他の設置方法について図３〜図５を参照しながら説明する。
【００４６】
図３に示す設置方法は、台座３の外周面に固定用接着剤７を垂らして、これを貫通孔３２から台座３内に浸入させることによって、台座３内で抜け止めナット５を固定する方法である。
【００４７】
この方法によると、注入ノズル８を貫通孔３２に挿入しないため、設置作業が容易である。また、この際、貫通孔３２が複数設けられているため、固定用接着剤７をより確実に台座３内に浸入させることができる。また、貫通孔３２は抜け止めナット５とほぼ同じ高さ位置に設けられているため、接着剤７が貫通孔３２から浸入するとき、さらに台座３内に接着剤が貯まっていったとき、抜け止めナット５に接着剤７が接触しやすく、これにより台座３内で抜け止めナット５をより確実に固定することができる。
【００４８】
図４に示す設置方法は、台座３の近傍の床面Ｆ上に固定用接着剤７を垂らして貫通孔３２の高さ位置まで接着剤７を盛り上げることにより、接着剤７を貫通孔３２から台座３内に浸入させて、台座３内で抜け止めナット５を固定する方法である。
【００４９】
この方法によると、台座３の近傍に接着剤７を垂らすだけでよいため、設置作業がより容易である。また、この際、貫通孔３２が複数設けられているため、固定用接着剤７をより確実に台座３内に浸入させることができる。また、貫通孔３２は抜け止めナット５とほぼ同じ高さ位置に設けられているため、接着剤７が貫通孔３２から浸入するとき、さらに台座３内に接着剤が貯まっていったとき、抜け止めナット５に接着剤７が接触しやすく、これにより台座３内で抜け止めナット５をより確実に固定することができる。
【００５０】
図５に示す設置方法は、台座３を床面Ｆ上に接地させる前に、台座３の周囲を囲むリング状堰体９を床面Ｆに載置しておき、リング状堰体９内に固定用接着剤７を注入して堰体Ｒ内で接着剤を盛り上げることにより、接着剤を貫通孔３２から台座３内に浸入させて台座内で抜け止めナット５を固定する方法である。
【００５１】
この方法によると、台座３の近傍に接着剤７を垂らすだけでよいため、設置作業がより容易であるとともに、堰体Ｒによって、接着剤の周囲への流出が防止されるため、抜け止めナット５の固定や台座３の床面Ｆへの固定に寄与しない接着剤の無駄を軽減することができる。なお、堰体ははじめからリング状でなくとも、台座３の周囲に巻きかけた板片の両端をステープル等の結合手段で結合させてリング状の堰体を形成してもよい。
【００５２】
以上にこの発明の一実施形態にかかる高さ調整用脚金具およびそれを用いた被設置物の設置方法について説明したが、この発明は上記実施形態に限定されるものではなく、その趣旨を逸脱しない範囲で、種々の変更が可能である。
【００５３】
例えば、上記実施形態においては、台座３を半球状に構成したが、内部空間が形成されるドーム状であれば、頂部を平面状に形成しても、周面を略鉛直面に形成してもよい。
【００５４】
【発明の効果】
以上のように、この発明にかかる高さ調整用脚金具によれば、ボルト軸が台座のボルト挿通孔に回転自在に挿通されているため、被設置物を持ち上げることなく容易に高さ調整をできるとともに、台座の周面に貫通孔が設けられているため、高さ調整を完了した後には、この貫通孔から台座内に固定用接着剤を浸入させて台座内で抜け止め部を固定し、被設置物のがたつきを防止することができる。また同時に、台座を床面等に固定することもできる。
【００５５】
また、この発明にかかる被設置物の設置方法によれば、被設置物を持ち上げることなく容易に高さ調整をできるとともに、高さ調整を完了した後には、貫通孔から台座内に固定用接着剤を浸入させて台座内で抜け止め部を固定し、被設置物のがたつきを防止することができ、同時に台座を床面等に固定することもできる。
【図面の簡単な説明】
【図１】この発明の一実施形態にかかる高さ調整用脚金具の正面断面図である。
【図２】同高さ調整用脚金具の斜視図である。
【図３】被設置物の設置方法の他の例である。
【図４】被設置物の設置方法のさらに他の例である。
【図５】被設置物の設置方法のさらにまた他の例である。
【図６】従来の高さ調整用脚金具の一例である。
【符号の説明】
１　高さ調整用脚金具
２　ボルト軸
３　台座
３１　ボルト挿通孔
３２　貫通孔
４　座り部
５　抜け止めナット（抜け止め部）
６　ロックナット
７　固定用接着剤
８　注入ノズル
９　リング状堰体
Ｍ　被設置物
Ｓ　雌ねじ部
Ｆ　床面
Ｘ　ねじ込み量
【図１】
2004036724.tif 000003
【図２】
2004036724.tif 000004
【図３】
2004036724.tif 000005
【図４】
2004036724.tif 000006
【図５】
2004036724.tif 000007
【図６】
2004036724.tif 000008